【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】製本しようとする本文を両側からクランプした状態で所定位置に供給するクランプ手段と、クランプ手段によるクランプ状態において本文の厚さを検出する本文厚さ検出手段と、クランプ手段によるクランプ状態において本文の背部にホットメルト接着剤を塗着する糊付手段と、クランプ手段によりクランプ状態で前記所定位置に供給された本文のホットメルト接着剤塗着背部の下方に表紙を供給する表紙供給手段と、表紙供給手段により供給された表紙の中央部を本文のホットメルト接着剤塗着背部に押圧して接着すると共に該表紙を本文のホットメルト接着剤塗着背部の両側縁に沿って折り曲げる表紙接着成型手段とを有してなり、表紙供給手段は、本文厚さ検出手段による検出結果を受けて本文の厚さに応じて表紙を裁断する表紙裁断手段と、本文厚さ検出手段による検出結果を受けて表紙裁断手段による裁断後の表紙の中央が第２の所定位置における本文の厚さ中心と一致するよう位置決めする表紙位置決め手段とを含むことを特徴とする製本装置。
【請求項２】さらに、表紙裁断手段により裁断された表紙切り屑を表紙供給手段による通紙経路とは別の切り屑排出経路を通じて排出する切り屑排出手段を有することを特徴とする、請求項１記載の製本装置。
【請求項３】通紙経路と切り屑排出経路とが表紙裁断手段の直下に隣接して設けられており、切り屑排出手段は、表紙裁断手段により裁断された表紙切り屑を切り屑排出経路に案内するとともに、裁断後の表紙は通紙経路に案内するよう、表紙裁断手段の作動と連動して切替操作される経路切替手段を有することを特徴とする、請求項２記載の製本装置。
【請求項４】さらに、表紙裁断手段により裁断された表紙の裁断寸法に応じた任意位置に任意の印刷を施す表紙印刷手段が設けられることを特徴とする、請求項１ないし３のいずれか記載の製本装置。
【請求項５】表紙接着成型手段が開閉可能な一対の成型プレートを有しており、表紙接着成型手段により製本された後の冊子を成型プレートを開くことにより排出する冊子排出手段をさらに有することを特徴とする請求項１ないし４のいずれか記載の製本装置。
【請求項６】製本しようとする本文を両側からクランプした状態で糊付位置に供給するとともにその間に本文の厚さを検出し、糊付位置において本文の背部にホットメルト接着剤を塗着し、背部にホットメルト接着剤を塗着された本文を表紙成型位置に移送し、一方、本文の厚さに応じて表紙を裁断し、裁断後の表紙の中央が表紙成型位置に移送された本文の厚さ中心と一致するよう表紙を供給し、表紙の中央部を本文のホットメルト接着剤塗着背部に対して押圧して接着するとともに、表紙を本文のホットメルト接着剤塗着背部の両側縁に沿って折り曲げて表紙成型することを特徴とする製本方法。
【手続補正２】
【補正対象書類名】明細書
【補正対象項目名】０００９
【補正方法】変更
【補正の内容】
【０００９】
【課題を解決するための手段】本発明は、上述した各従来技術の不利欠点を解消し、本文の厚さに応じて表紙を裁断する工程を一連の製本作業工程の中に組み入れ、製本後の表紙裁断工程を不要化して、常に本文厚さに同調した表紙幅で自動製本することができる新規な製本装置および方法を提供することを目的とする。
【手続補正３】
【補正対象書類名】明細書
【補正対象項目名】００１０
【補正方法】変更
【補正の内容】
【００１０】
この目的を達成するため、請求項１にかかる製本装置は、製本しようとする本文を両側からクランプした状態で所定位置に供給するクランプ手段と、クランプ手段によるクランプ状態において本文の厚さを検出する本文厚さ検出手段と、クランプ手段によるクランプ状態において本文の背部にホットメルト接着剤を塗着する糊付手段と、クランプ手段によりクランプ状態で前記所定位置に供給された本文のホットメルト接着剤塗着背部の下方に表紙を供給する表紙供給手段と、表紙供給手段により供給された表紙の中央部を本文のホットメルト接着剤塗着背部に押圧して接着すると共に該表紙を本文のホットメルト接着剤塗着背部の両側縁に沿って折り曲げる表紙接着成型手段とを有してなり、表紙供給手段は、本文厚さ検出手段による検出結果を受けて本文の厚さに応じて表紙を裁断する表紙裁断手段と、本文厚さ検出手段による検出結果を受けて表紙裁断手段による裁断後の表紙の中央が第２の所定位置における本文の厚さ中心と一致するよう位置決めする表紙位置決め手段とを含むことを特徴としている。
【手続補正４】
【補正対象書類名】明細書
【補正対象項目名】００１３
【補正方法】変更
【補正の内容】
【００１３】
請求項４は、請求項１ないし３のいずれか記載の製本装置において、さらに、表紙裁断手段により裁断された表紙の裁断寸法に応じた任意位置に任意の印刷を施す表紙印刷手段が設けられることを特徴としている。また、請求項５は、請求項１ないし４のいずれか記載の製本装置において、表紙接着成型手段が開閉可能な一対の成型プレートを有しており、表紙接着成型手段により製本された後の冊子を成型プレートを開くことにより排出する冊子排出手段をさらに有することを特徴としている。
【手続補正５】
【補正対象書類名】明細書
【補正対象項目名】００１４
【補正方法】変更
【補正の内容】
【００１４】
また、請求項６にかかる製本方法は、製本しようとする本文を両側からクランプした状態で糊付位置に供給するとともにその間に本文の厚さを検出し、糊付位置において本文の背部にホットメルト接着剤を塗着し、背部にホットメルト接着剤を塗着された本文を表紙成型位置に移送し、一方、本文の厚さに応じて表紙を裁断し、裁断後の表紙の中央が表紙成型位置に移送された本文の厚さ中心と一致するよう表紙を供給し、表紙の中央部を本文のホットメルト接着剤塗着背部に対して押圧して接着するとともに、表紙を本文のホットメルト接着剤塗着背部の両側縁に沿って折り曲げて表紙成型することを特徴としている。
【手続補正６】
【補正対象書類名】明細書
【補正対象項目名】００２６
【補正方法】変更
【補正の内容】
【００２６】
テーブル２４の先端側（図２において左側）には、テーブル２４上に投入した本文Ａの前端を係止するストッパ２８が回動自在に設けられ、また、テーブル２４上の本文Ａの幅方向両側縁を位置規制するための固定ガイド２９および可動ガイド３０が設けられている。さらに、サブクランプ２０には、テーブル２４に載置収容させた本文Ａの後端を押さえ付ける押さえ板３１が回動可能に設けられている（図３、図５、図６）。可動ガイド３０は支軸３０ａを中心として図６において反時計方向に回転するようにバネ付勢されており、テーブル２４上に載置した本文Ａの幅変動に対応して、固定ガイド２９と協働して左右位置規制するものである。押さえ板３１はねじりコイルバネ３２により図５において反時計方向に回転するように付勢されている。押さえ板３１は本文供給手段１（図１）の一部を構成すると同時に、後述するようにジョグユニット４０の一部を構成している。
【手続補正７】
【補正対象書類名】明細書
【補正対象項目名】００２９
【補正方法】変更
【補正の内容】
【００２９】
この実施形態において、振動機構４５は、モータ４５ａと、該モータにより回転駆動される偏心カム４５ｂと、該偏心カムと係合するべく上下揺動板４３に設けられた係合穴４５ｃとを有して構成されている。振動機構４７も略同様の構成であり、モータ４７ａと、該モータにより回転駆動される偏心カム４７ｂと、該偏心カムと係合するべく左右揺動板４６に設けられた係合穴４７ｃとを有して構成されている。
【手続補正８】
【補正対象書類名】明細書
【補正対象項目名】００３１
【補正方法】変更
【補正の内容】
【００３１】
メインクランプ５０は本文移送手段４（図１）を構成しており、図２および図４において右側の可動クランプ板５１と，左側の固定クランプ板５２と、可動クランプ板５１を固定クランプ板５２に対して移動させることによりメインクランプを開閉するクランプ開閉機構５３と、メインクランプ５０全体を水平移動する移動機構５４とを有している。クランプ開閉機構５３としては、たとえば、サブクランプ２０について例示した移動機構（図３）に類似の機構を採用することができる。
【手続補正９】
【補正対象書類名】明細書
【補正対象項目名】００３８
【補正方法】変更
【補正の内容】
【００３８】
裁断後の表紙Ｂ’の通紙経路は表紙成型位置（図１）の直前で略水平面とされ、この水平通紙面の領域内に、表紙位置決め手段７（図１）を構成する上下一対の表紙位置決めローラ８１と表紙揃えピン８５が設けられている（図１２）。表紙位置決めローラ８１は常時は対向するローラ８６に圧接した状態に維持されるが、昇降機構８７により対向ローラ８６から退避可能であり、カット後の表紙Ｂ’が表紙接着および表紙成型のための所定位置に到達する直前で上昇して対向ローラ８６から退避する。表紙揃えピン８５は図１２に示される上昇位置と下方の待機位置との間を昇降可能であり且つ表紙搬送方向（水平方向）と直交する方向に移動可能であって、表紙位置決めローラ８１が退避している間に、それまでの待機位置から上昇位置に上昇し、且つ該直交方向に前進して、後述する固定ガイド８８（図１６）との協働により、成型位置近傍に送り込まれた表紙Ｂ’の位置（特に搬送方向と直交する方向の位置）を微修正する。この後、表紙位置決めローラ８１を再駆動して、表紙Ｂ’を所定の成型位置に送り込む。
【手続補正１０】
【補正対象書類名】明細書
【補正対象項目名】００３９
【補正方法】変更
【補正の内容】
【００３９】
図２、図１２の実施形態において表紙接着手段８（図１）および表紙成型手段９（図１）は単一の表紙成型ユニット９０が兼用しており、一対の成型プレート９１，９１と、これら成型プレートを開閉するプレート開閉機構９２と、成型プレートの直下に設けられる移動プレート９３と、移動プレート９３を水平方向に移動させる移動機構９４と、成型プレートの表紙成型ユニット９０の全体を待機位置（図２において実線で示されている）と成型位置（図２において点線で示されている）との間を昇降移動させる昇降機構９５とを有している。成型プレート９１，９１は、表紙成型位置においてメインクランプ５０により垂直に立てた状態に支持されている本文Ａの厚さ中心に対して左右対称であり、プレート開閉機構９２により開閉移動するときも該厚さ中心に対して左右対称の関係を維持する。
【手続補正１１】
【補正対象書類名】明細書
【補正対象項目名】００４２
【補正方法】変更
【補正の内容】
【００４２】
以上に述べた自動製本装置の各部の作動は図示しないコンピュータ等の制御装置によって制御されるものであり、これについて以下図１３〜図１５のフローチャートを参照しながら説明する。
【手続補正１２】
【補正対象書類名】明細書
【補正対象項目名】００５８
【補正方法】変更
【補正の内容】
【００５８】
図１３：Ｓ１１５で次回スタート条件が満たされていることを確認した後、表紙カセット７１に少なくとも１枚の表紙が収容されていることを確認（Ｓ３０１）して、給紙ローラ７２をモータ駆動して、カセット７１内の表紙Ｂを１枚だけ通紙経路に沿って給送し始める（Ｓ３０２）。カッター７５の直前に設けられたカット位置センサ７４は表紙Ｂの先端を通過したときにＯＮとなり、これをＳ３０３で確認すると給紙ローラ７２を一旦停止させ（Ｓ３０４）、所定量（Ｌ１）だけ表紙Ｂを搬送するべく給紙ローラ７２を微量駆動させた（Ｓ３０５）後に再度停止させる（Ｓ３０６）。これにより、センサ７４からカッタ刃７５ａによるカット位置までの通紙経路長を（Ｌ２）とすると、（Ｌ１−Ｌ２）だけ表紙Ｂの前端がカッター刃７５ａ位置よりも下方に突出することになる。ここでモータ駆動によりカッター刃７５ａを通紙経路と略直交する方向に移動させて用紙Ｂ前端をカットする（Ｓ３０７）。
【手続補正１３】
【補正対象書類名】明細書
【補正対象項目名】００６０
【補正方法】変更
【補正の内容】
【００６０】
そして、本文厚さセンサ２１で測定した本文厚さを（ＴＡ）とすると、最大許容厚さとの差、すなわち（Ｔｍａｘ−ＴＡ）＋Ｖが表紙のカット量となり、これが前述の表紙突出量（Ｌ１−Ｌ２）に等しくなるから、Ｓ３０５における表紙搬送量（Ｌ１）は次式を満たすように設定すればよいことになる。Ｌ１＝Ｔｍａｘ−ＴＡ＋Ｌ２＋Ｖ
【手続補正１４】
【補正対象書類名】明細書
【補正対象項目名】００６２
【補正方法】変更
【補正の内容】
【００６２】
次いで、給紙ローラ７２をモータ駆動してカット後の表紙Ｂ’の給送を再開し（Ｓ３０８）、センサ８３が表紙Ｂ’の後端通過を検出してＯＮになるのを待つ（Ｓ３０９）。センサ８３がＯＮになると（Ｓ３０９：Ｙｅｓ）、給紙ローラ７２を停止させ（Ｓ３１０）、表紙位置決めローラ８１を上昇させて対向ローラ８６から退避させた（Ｓ３１１）後、表紙揃えピン８５の移動による表紙揃えを行う（Ｓ３１２）。表紙揃えピン３５は成型位置近傍に送り込まれた表紙Ｂ’の一側縁と係合可能な位置に設けられており、他側縁には固定ガイド８８，８８が設けられている（図１６）。Ｓ３１２における表紙揃えピン８５の移動は、それまで表紙Ｂ’には係合しない下方位置に待機していた状態から上昇して表紙Ｂ’の一側縁と係合し、さらに表紙搬送方向と直交する方向（図１６で上方向）に低速にて微量移動して、表紙Ｂ’の他側縁を固定ガイド８８，８８に係合させる。これにより、特に搬送方向と直交する方向おける表紙Ｂ’の位置ずれを補正する。
【手続補正１５】
【補正対象書類名】図面
【補正対象項目名】図２
【補正方法】変更
【補正の内容】
【図２】
2003025759.tif 000001
【手続補正１６】
【補正対象書類名】図面
【補正対象項目名】図４
【補正方法】変更
【補正の内容】
【図４】
2003025759.tif 000002
【手続補正１７】
【補正対象書類名】図面
【補正対象項目名】図１２
【補正方法】変更
【補正の内容】
【図１２】
2003025759.tif 000003
【手続補正１８】
【補正対象書類名】図面
【補正対象項目名】図１３
【補正方法】変更
【補正の内容】
【図１３】
2003025759.tif 000004